【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
取得するコンテンツのアドレスを少なくとも１つ以上格納したコンテンツリストを管理するコンテンツリスト管理部と、１つ以上の無線通信部と、所定位置における前記無線通信部の回線品質を検出する回線品質検出部と、前記回線品質検出部が現在位置において検出した前記回線品質を用いて、通信可能な回線品質を持つ前記無線通信部を１つ以上選択する通信選択部と、前記コンテンツリストに格納されたコンテンツから取得予定の少なくとも１つの取得予定コンテンツを決定する取得コンテンツ決定部と、前記取得予定コンテンツを、対応付けられている前記アドレスを用いて、選択した前記無線通信部より取得するコンテンツ取得部と、を具備したことを特徴とする端末装置。
【請求項２】
現在位置を検出する位置検出部と、所定地域内において、前記無線通信部についての通信可能な位置に関する通信エリア情報を管理する通信エリア情報管理部とをさらに有し、
前記回線品質検出部が、前記通信エリア情報に基づき、前記位置検出部の検出した前記現在位置において前記無線通信部が通信可能かどうかを検出することを特徴とする請求項１に記載の端末装置。
【請求項３】
前記端末装置は、通信可能でない前記無線通信部の処理能力を下げる制御を行うことを特徴とする請求項２に記載の端末装置。
【請求項４】
前記取得コンテンツ決定部が、ユーザの指示入力に基づき前記取得予定コンテンツの取得の有無もしくは取得順の少なくとも一方を決定することを特徴とする請求項１に記載の端末装置。
【請求項５】
前記コンテンツリストに、前記コンテンツのアドレスに対応する優先度が記載され、
前記取得コンテンツ決定部が前記優先度に基づいて前記取得予定コンテンツの取得の有無もしくは取得順の少なくとも一方を決定することを特徴とする請求項１に記載の端末装置。
【請求項６】
前記コンテンツリストに、前記コンテンツのアドレスに対応する所定地域内の位置情報が記載され、
前記取得コンテンツ決定部が前記位置情報に基づいて前記取得予定コンテンツの取得の有無もしくは取得順の少なくとも一方を決定することを特徴とする請求項１に記載の端末装置。
【請求項７】
前記取得コンテンツ決定部が、前記通信エリア情報に基づき、前記コンテンツリストに記載された前記所定地域内の位置情報の位置において通信可能かどうかを判定することによって前記所定地域内の位置情報に対応するコンテンツの取得の有無もしくは取得順の少なくとも一方を決定することを特徴とする請求項６に記載の端末装置。
【請求項８】
前記取得コンテンツ決定部が、前記端末装置の移動方向もしくは移動速度の少なくとも一方に基づいて当該コンテンツの取得の有無もしくは取得順の少なくとも一方を決定することを特徴とする請求項６に記載の端末装置。
【請求項９】
前記コンテンツリストに、前記コンテンツのアドレスに対応する参照履歴情報が記載され、
前記取得コンテンツ決定部が前記参照履歴情報に基づいてコンテンツの取得の有無もしくは取得順の少なくとも一方を決定することを特徴とする請求項１に記載の端末装置。
【請求項１０】
前記回線品質検出部が、前記無線通信部の前記回線品質を、前記無線通信部の安定性により検出することを特徴とする請求項１に記載の端末装置。
【請求項１１】
前記回線品質検出部が、無線強度、無線強度と雑音との比、伝送データの誤り率、実効伝送帯域、及びそれぞれの時間変化量の少なくとも１つに基づいて前記安定性を検出することを特徴とする請求項１０に記載の端末装置。
【請求項１２】
前記回線品質検出部が、前記無線通信部の前記回線品質を前記無線通信部が盗聴されることなく通信を行える安全性を検出することを特徴とする請求項１に記載の端末装置。
【請求項１３】
前記取得コンテンツ決定部が、前記回線品質部が検出した無線通信部の回線品質に基づいて取得予定コンテンツの数を決定することを特徴とする請求項１に記載の端末装置。
【請求項１４】
取得するコンテンツのアドレスを少なくとも１つ以上格納したコンテンツリストを管理する工程と、現在位置において通信可能な回線品質を持つ通信部を検出する工程と、前記コンテンツリストに格納されたコンテンツから取得予定の少なくとも１つの取得予定コンテンツを決定する工程と、前記取得予定コンテンツを対応付けられているアドレスを用いて、前記通信可能な前記通信部により取得する工程と、を具備したことを特徴とする情報取得方法。
【請求項１５】
端末装置がサーバから送られてくる所定地域内の位置に関連するコンテンツを取得する情報取得システムであって、
前記サーバは、前記端末装置の位置を受信する位置情報受信部と、前記位置情報受信部が受信した前記位置から、移動に伴って参照すると予想される位置であって、かつ通信可能エリア外の位置に対応する前記コンテンツを取得予定コンテンツとし、前記取得予定コンテンツに対応するアドレスと位置との組を少なくとも１つ以上格納したコンテンツリストを生成して前記端末装置に送信するコンテンツリスト送信部と、を具備し、
前記端末装置は、前記端末装置の位置を検出する位置検出部と、検出した前記位置を前記サーバに送信する位置情報送信部と、前記サーバから送信された前記コンテンツリストを受信するコンテンツリスト受信部と、前記コンテンツリストに格納された前記取得予定コンテンツに対応付けられているアドレスを用いて前記取得予定コンテンツを取得するコンテンツ取得部と、を具備したことを特徴とする情報取得システム。
【請求項１６】
前記端末装置の前記位置情報送信部が、コンテンツリストの送信要求を前記サーバに送信することを特徴とする請求項１５に記載の情報取得システム。
【請求項１７】
前記サーバがさらに、前記端末装置からのコンテンツリストの送信要求を受信するコンテンツリスト要求受信部を有することを特徴とする請求項１６に記載の情報取得システム。
【請求項１８】
前記端末装置の前記位置情報検出部が、前記端末装置の移動方向もしくは移動速度の少なくとも一方を検出し、前記位置情報送信部が前記端末装置の移動方向もしくは移動速度の少なくとも一方をサーバに送信することを特徴とする請求項１５に記載の情報取得システム。
【請求項１９】
前記取得予定コンテンツが、端末装置の移動予定位置であって、かつ通信可能エリア外の位置に対応するコンテンツを含むことを特徴とする請求項１５に記載の情報取得システム。
【請求項２０】
前記コンテンツリスト送信部が、端末の移動予定位置であってかつ通信可能エリア外にある位置を少なくとも１つ以上決定し、その位置に関連するコンテンツを取得予定コンテンツとして特定することを特徴とする請求項１９に記載の情報取得システム。
【請求項２１】
現在位置を検出する位置検出部と、
検出した前記位置をサーバに送信する位置情報送信部と、
前記サーバから送信されたコンテンツリストを受信するコンテンツリスト受信部と、
前記コンテンツリストに格納された取得予定コンテンツに対応付けられているアドレスを用いて、移動に伴って参照すると予想される位置であって、かつ通信可能エリア外の位置に対応する前記取得予定コンテンツを取得するコンテンツ取得部と、
を具備したことを特徴とする端末装置。
【請求項２２】
前記位置情報送信部が、コンテンツリストの送信要求を前記サーバに送信することを特徴とする請求項２１に記載の端末装置。
【請求項２３】
前記位置情報検出部が、前記端末装置の移動方向もしくは移動速度の少なくとも一方を検出し、前記位置情報送信部が前記端末装置の移動方向もしくは移動速度の少なくとも一方をサーバに送信することを特徴とする請求項２１に記載の端末装置。
【請求項２４】
前記コンテンツリスト送信部が、端末装置の移動予定位置であってかつ通信可能エリア外にある位置を少なくとも１つ以上決定し、その位置に関連するコンテンツを取得予定コンテンツとして特定することを特徴とする請求項２１に記載の端末装置。
【請求項２５】
現在位置を検出する位置検出部と、
取得するコンテンツのアドレスと位置との組を少なくとも１つ以上格納したコンテンツリストを管理するコンテンツリスト管理部と、
前記位置検出部が検出した前記現在位置に基づき、移動に伴って参照すると予想される位置であって、かつ通信可能エリア外の位置に対応する前記コンテンツを前記コンテンツリスト管理部に管理されているコンテンツリストから検索して少なくとも１つの取得予定コンテンツを決定する取得予定コンテンツ決定部と、
前記取得予定コンテンツを、対応付けられている前記アドレスを用いて取得するコンテンツ取得部と、を具備したことを特徴とする端末装置。
【請求項２６】
前記位置検出部が、前記端末装置の移動方向及び移動速度を検出し、
前記取得予定コンテンツ決定部が、前記現在位置、前記移動方向、及び前記移動速度の少なくとも１つに基づき、移動に伴って参照すると予想される位置であって、かつ通信可能エリア外の位置に対応する前記コンテンツを前記コンテンツリスト管理部に管理されているコンテンツリストから検索して少なくとも１つの取得予定コンテンツを決定することを特徴とする請求項２５に記載の端末装置。
【請求項２７】
取得予定コンテンツ決定部が、前記端末装置の移動予定位置であってかつ通信可能エリア外にある位置に対応するコンテンツを、前記コンテンツリスト管理部に管理されているコンテンツリストから検索して、少なくとも１つの取得予定コンテンツを決定することを特徴とする請求項２５に記載の端末装置。